(57)【要約】  【課題】  アルファベットの文字に装飾性を持たせると共に、製作コストを低減することができる装身具用石座、装身具用石座設計システム、及び装身具用石座の原型作成装置を提供する。  【解決手段】  天然石、人造石、宝石のいずれかを嵌合固定する宝石収納部１と、該宝石収納部１の外側を装飾する装飾部２とを有する装身具用石座１０において、前記装飾部２の２箇所にアルファベットの文字と装飾柄とが渾然一体となったイニシャル部５を設けた。【選択図】図５
2011019567.tif 000002
【特許請求の範囲】
【請求項１】
天然石、人造石、宝石のいずれかを嵌合固定する宝石収納部と、該宝石収納部の外側を装飾する装飾部とを有する装身具用石座において、前記装飾部の２箇所にアルファベットの文字と装飾柄とが渾然一体となったイニシャル部を設けたことを特徴とする装身具用石座。
【請求項２】
イニシャル部を構成するアルファベットの文字は、装身具を購入する者が指定した文字であることを特徴とする請求項１に記載の装身具用石座。
【請求項３】
イニシャル部を構成するアルファベットの文字は、外見上、アルファベットの文字であると気付かれないように、装飾図案化された文字であることを特徴とする請求項１又は２に記載の装身具用石座。
【請求項４】
３次元ＣＡＤを有するパーソナルコンピュータと、ディスプレイとを備え、請求項１〜３のいずれか１項に記載の装身具用石座を設計するための装身具用石座設計システムにおいて、あらかじめ図案化されたアルファベットの文字を装身具を購入する者が選択して前記パーソナルコンピュータに入力すると、前記ディスプレイには、前記図案化されたアルファベットの文字が挿入された装身具用石座が立体的に表示されることを特徴とする装身具用石座設計システム。
【請求項５】
請求項４に記載の装身具用石座設計システムにおけるパーソナルコンピュータからの情報と連動して、装身具用石座を製作するための原型を自動的に作成することを特徴とする装身具用石座の原型作成装置。
【発明の詳細な説明】
【技術分野】
【０００１】
本発明は、指輪、ブレスレット、ネックレス、ピアス等の装身具に用いられる石座と、該装身具用石座を設計するためのシステム、及び装身具用石座の原型作成装置に関するものである。
【背景技術】
【０００２】
従来より、装身具や装飾品（以下、装身具等という。）の一部に送り先の方の氏名のイニシャルや、結婚の記念に両者の氏名のイニシャルをレーザー刻印する考案（特許文献１）は知られている。
【先行技術文献】
【特許文献】
【０００３】
【特許文献１】実用新案登録第３１４０５３８号公報
【発明の概要】
【発明が解決しようとする課題】
【０００４】
ここで、特許文献１の考案は、指輪の外周表面に、イニシャルや月日等の英文字や数字をレーザー刻印等して表示するものであり、デザイン的にも高度な美的印象を表示させることを狙ったものである。
【０００５】
しかしながら、レーザー刻印は貴金属等を削るものであり、立体的な美的印象を与えることは難しい。一方、立体的な美的印象を与えるためには、イニシャルのデザインに対応した金型を製作する必要があるが、イニシャルは、英文字で２６文字あり、結婚の記念に両者の氏名のイニシャルを１文字ずつ入れる場合には、３５１通りの金型を準備する必要があり、宝石のサイズに合わせて製作すると、さらにこの何倍もの金型が必要となることから、製造コストがかさむ原因となる。
【０００６】
また、イニシャルのデザイン部分と指輪の他のデザイン部分とを明確に区別することができる場合には、露骨すぎて敬遠される可能性もあり、結婚指輪であれば、結婚する両者のみが判ればよい場合もある。
【０００７】
本発明は、上記従来の課題を解決するもので、アルファベットの文字に装飾性を持たせると共に、製作コストを低減することができる装身具用石座、装身具用石座設計システム、及び装身具用石座の原型作成装置を提供することを目的としている。
【課題を解決するための手段】
【０００８】
上記従来の課題を解決する為に、請求項１の装身具用石座に関する発明は、天然石、人造石、宝石のいずれかを嵌合固定する宝石収納部と、該宝石収納部の外側を装飾する装飾部とを有する装身具用石座において、前記装飾部の２箇所にアルファベットの文字と装飾柄とが渾然一体となったイニシャル部を設けたことを特徴としている。したがって、アルファベットを立体的に表現しつつ、デザイン性に優れ、装飾柄と渾然一体とすることによって、不自然にアルファベットの文字が目立つのを防ぐことができる。また、装身具用石座であることから、指輪に限らず、ブレスレット、ネックレス、ピアス、携帯電話用ストラップ等、様々な装身具に適用することができる。
【０００９】
請求項２の発明は、請求項１の発明において、イニシャル部を構成するアルファベットの文字は、装身具を購入する者が指定した文字であることを特徴としている。したがって、結婚指輪の場合では、両者の氏名のイニシャルとすることもできる。また、購入者の苗字と名前のイニシャルとすることもできる。
【００１０】
請求項３の発明は、請求項１又は２の発明において、イニシャル部を構成するアルファベットの文字は、外見上、アルファベットの文字であると気付かれにくいように、装飾図案化された文字であることを特徴としている。したがって、購入者のみが判ればよい場合にも対応することができる。
【００１１】
請求項４の装身具用石座設計システムに関する発明は、３次元ＣＡＤを有するパーソナルコンピュータと、ディスプレイとを備え、請求項１〜３のいずれか１項に記載の装身具用石座を設計するための装身具用石座設計システムにおいて、あらかじめ図案化されたアルファベットの文字を装身具を購入する者が選択して前記パーソナルコンピュータに入力すると、前記ディスプレイには、前記図案化されたアルファベットの文字が挿入された装身具用石座が立体的に表示されることを特徴としている。したがって、購入者があらかじめ、完成した石座を立体的に見ることができ、図案化されたアルファベットの文字は、購入者の好みの形状を選択することができる。
【００１２】
請求項５の装身具用石座の原型作成装置に関する発明は、請求項４に記載の装身具用石座設計システムにおけるパーソナルコンピュータからの情報と連動して、装身具用石座を製作するための原型を自動的に作成することを特徴としている。したがって、原型がパーソナルコンピュータからの情報と連動して自動的に作成されることによって、装身具用石座の製作時間を短縮化でき、製作コストを低減させることができる。
【発明の効果】
【００１３】
請求項１の発明では、アルファベットを立体的に表現しつつ、デザイン性に優れると共に、様々な装身具に適用することができる。また、請求項２の発明では、装身具を購入する者が好みのアルファベットを選択することができる。また、請求項３の発明では、装身具に施されている柄がアルファベットの文字を意味することを他人に知られることがなく楽しむことができる。また、請求項４の発明では、設計時間を短縮することができると共に、購入者が好みの形状を選択することができる。さらに、請求項５の発明では、装身具用石座の製作時間を短縮化でき、製作コストを低減させることができる。
【図面の簡単な説明】
【００１４】
【図１】本発明に係る装身具用石座の一例を示す正面図である。
【図２】同側面図である。
【図３】同底面図である。
【図４】同斜視図である。
【図５】同斜視図である。
【図６】本発明の装身具用石座を使用したダイヤモンド指輪を示す斜視図である。
【図７】装飾図案化されたアルファベットの文字の一覧表を示す図である。
【図８】本発明に係る装身具用石座を設計するシステムを示す説明図である。
【図９】装身具用石座の原型作成装置を示す説明図である。
【発明を実施するための形態】
【００１５】
図１は、本発明に係る装身具用石座の一例を示す正面図であり、図２は、同側面図である。また、図３は、同底面図であり、図４及び図５は、同斜視図である。
【００１６】
図１〜図５を用いて本発明に係る装身具用石座を説明する。装身具用石座１０は、宝石収納部１と、この宝石収納部１の外側を装飾する装飾部２とを有している。
【００１７】
宝石収納部１は、ドーナッツ状の上輪３と、同じくドーナッツ状の下輪４とから構成されている。また、上輪３の直径は、下輪４の直径よりも大きくしてあり、上輪３と下輪４との間に形成される空間に宝石が収納されるのである。尚、宝石以外に、天然石や人造石を宝石収納部１に収納する場合があり、この場合も本発明の範囲に含まれるものである。
【００１８】
装飾部２は、イニシャル部５と、支柱６とから構成されている。この例では、イニシャル部５は、アルファベットのＭの文字を装飾図案化されており、文字と装飾柄とが渾然一体となっている。上述した宝石収納部１の上輪３と下輪４とに一部が連結されている。また、この例では、イニシャル部５は、上輪３と下輪４の１８０度反対側の２箇所に設けられている。また、支柱６も、上輪３と下輪４の１８０度反対側の２箇所に設けられており、上述した宝石収納部１の上輪３と下輪４とに一部が連結されている。
【００１９】
イニシャル部５は、上述のように２箇所の場合、例えば、婚約指輪の場合には、結婚する両者の氏名の頭文字２つのアルファベットを選択することができる。尚、イニシャル部５は、上述の説明では２箇所に限定しているが、１箇所だけにすることも可能である。また、３箇所や４箇所に増やすことも可能である。
【００２０】
イニシャル部５を構成するアルファベットの文字は、さらに装飾図案化させることによって、外見上、アルファベットの文字であると気付かれにくくすることが可能である。そのようにすることによって、装飾品購入者のみが、密かに楽しむことができる。
【００２１】
図６は、上述した装身具用石座１０を使用したダイヤモンド指輪２０を示す斜視図である。ダイヤモンド指輪２０は、リングが、装身具用石座１０の支柱６と連結固定されている。また、ダイヤモンド８は、上述した宝石収納部１の上輪３と下輪４との間に収納され、上輪３と接触している。このように、ダイヤモンド指輪２０を構成することによって、このダイヤモンド指輪２０を指に嵌めた場合には、常に、指の長手方向の２箇所にイニシャル部５が現れることとなる。したがって、指先側に相手のイニシャル部５が現われ、指のつけ根側に自分のイニシャル部５が現われるように嵌めて楽しむことができる。これとは反対に、指先側に自分のイニシャル部５が現われ、指のつけ根側に相手のイニシャル部５が現われるように嵌めて楽しむこともできる。また、イニシャル部５の上輪３から上方に突出した部分は、支柱６の機能も果しており、指輪２０を上方からみた場合に、上輪３の円周を４等分する位置に、２つの支柱６と、イニシャル部５の上輪３から上方に突出した部分が配置されるように構成されている。さらに、この２つの支柱６と、イニシャル部５の上輪３から上方に突出した部分は、上輪３と下輪４との間に収納されるダイヤモンド８を固定する爪としての機能も果たしている。
【００２２】
図７は、本発明に係る装身具用石座１０のイニシャル部５に使用される装飾図案化されるアルファベットの文字の一覧表を示す図である。この図に示すように、あらかじめ、装飾図案化されたアルファベット２６文字を用意しておき、装身具を購入する者が、この一覧表から、１文字又は２文字のアルファベットの文字を選択することができる。
【００２３】
尚、図７に示すように、アルファベットの２６文字と、装身具用石座１０のイニシャル部５に使用される装飾図案化された文字とを対応させる一覧表をあらかじめ作成しておけば、外見上、装飾図案化された文字がアルファベットの文字であると読み取れない場合でも、装身具を購入する者には判るので、密かに楽しむことができる。
【００２４】
また、図７に示すような、アルファベットの２６文字と、装身具用石座１０のイニシャル部５に使用される装飾図案化された文字とを対応させる一覧表をあらかじめ複数種類作成しておけば、装身具を購入する者の選択肢を広げることができる。
【００２５】
図８は、本発明に係る装身具用石座を設計するシステムを示す説明図である。この図に示すように、パーソナルコンピュータ１１は、３次元ＣＡＤのソフト１２を内蔵するものである。そして、図７で説明した装飾図案化されたアルファベットの文字を示す一覧表をディスプレイ１３に表示させることができるようになっている。
【００２６】
図８に示す装身具用石座設計システムによって、購入者は、ディスプレイ１３に表示されている一覧表より、好みの図柄のアルファベットを１又は２文字をマウス１４で選択するだけで、３次元ＣＡＤソフト１２が連動し、図１〜図５に示した装身具用石座の立体図がディスプレイ１３上に表示される。
【００２７】
次に、宝石収納部に収納する宝石、天然石、人造石を一覧表から選択すると、宝石等が収納された状態の装身具用石座の立体図１５がディスプレイ１３上に表示される。
【００２８】
さらに、購入する装身具の種類を一覧表から選択すると、図６に示したような完成品の状態の立体図がディスプレイ上に表示される。
【００２９】
以上のような簡易な手順によって、装身具を購入する者は完成した状態の立体図をディスプレイ１３上で確認することができる。また、この立体図をプリントアウトして保管しておけば、後日、実際に完成した実物を手にした時に違和感を覚えることがない。
【００３０】
図９は、装身具用石座の原型作成装置３０の一例を示す説明図である。この図に示すように、３次元ＣＡＤソフト１２によって作成された装身具用石座のデータと連動して、レーザー１６をＸ−Ｙ軸方向に移動させ、台座１７をＺ軸方向に移動させることによって、紫外線硬化樹脂１８で満たされた樹脂槽１９内に装身具用石座の樹脂原型２１が作成される。
【００３１】
具体的には、先ず、パーソナルコンピュータ１１の３次元ＣＡＤソフト１２によって作成された装身具用石座の立体図を５０ミクロン単位で水平に４００段に切断する。次に、それぞれの段での図形データを作成する。次に、ＸＹ軸走査制御２２を行なって、レーザー１６をＸＹ軸で移動させ、一番下の段のデータどおりに紫外線硬化樹脂槽１９の中にレーザー発生装置２４を介してレーザー１６を照射する。次に、Ｚ軸昇降制御２３を行なって、台座１７をＺ軸上に一段下げる。次に、２段目のＸＹ軸のデータに沿ってレーザー１６が水平移動して作業を行う。次に、台座１７をＺ軸上にさらに一段下げる。次に、３段目のＸＹ軸のデータに沿ってレーザー１６が水平移動して作業を行う・・・・との作業を４００回繰り返すことによって、樹脂槽１９内に装身具用石座の樹脂原型２１が作成されるのである。
【００３２】
上述のように、装身具用石座の原型２１が図８を用いて説明した装身具用石座設計システムのパーソナルコンピュータ１１からの情報と連動して自動的に作成されることによって、装身具用石座の製作時間を短縮化でき、製作コストを低減させることができるのである。また、図１〜図５を用いて説明した、宝石収納部１と、この宝石収納部１の外側を装飾するイニシャル部５と支柱６とから構成されている装飾部２とを有する本願発明の装身具用石座１０を一体的に製作することができるので、従来のように後からイニシャル部分をレーザー刻印したり、ロー付けしたりする手間を省くことができる。
【産業上の利用可能性】
【００３３】
本発明の本発明は、指輪、ブレスレット、ネックレス、ピアス等の装身具に用いられる石座と、該装身具用石座を設計するためのシステム、及び装身具用石座の原型作成装置として使用される。
【符号の説明】
【００３４】
１  宝石収納部
２  装飾部
３  上輪
４  下輪
５  イニシャル部
６  支柱
８  ダイヤモンド
１０  装身具用石座
１１  パーソナルコンピュータ
１２  ３次元ＣＡＤソフト
１３  ディスプレイ
１４  マウス
１６  レーザー
１７  台座
１８  紫外線硬化樹脂
１９  樹脂槽
２０  ダイヤモンド指輪
２１  装身具用石座の原型
２２  ＸＹ軸操作制御
２３  Ｚ軸操作制御
２４  レーザー発生装置
【図１】
2011019567.tif 000003
【図２】
2011019567.tif 000004
【図３】
2011019567.tif 000005
【図４】
2011019567.tif 000006
【図５】
2011019567.tif 000007
【図６】
2011019567.tif 000008
【図７】
2011019567.tif 000009
【図８】
2011019567.tif 000010
【図９】
2011019567.tif 000011